(57)【要約】【課題】情報端末機器に対する繁雑な操作が必要なく照明器具を制御することができる照明制御システム、照明制御方法及びそのためのプログラムを提供する。【解決手段】照明制御システムは、アンビエント照明用の複数の照明器具１と、タスク照明用の複数の照明器具２と、作業者のスマートフォン１１を含む。スマートフォン１１は、対応する照明器具１を制御するアプリケーションプログラムを実行可能であって、照明器具２のオン状態を検出するとアプリケーションプログラムを起動する。【選択図】図４
2013191380.tif 000002
【特許請求の範囲】
【請求項１】
少なくとも１つの第１の照明器具と、
前記第１の照明器具を制御するアプリケーションプログラムを実行可能であって、第２の照明器具に関する第１の情報を検出すると前記アプリケーションプログラムを実行する実行制御部を有する情報端末機器と、
を有する照明制御システム。
【請求項２】
前記情報端末機器は、実行された前記アプリケーションプログラムの実行により、前記第１の照明器具に対する第１のコマンド信号を送信する第１のコマンド送信部を有する請求項１に記載の照明制御システム。
【請求項３】
前記情報端末機器は、前記第２の照明器具に関する第２の情報を検出すると、その起動された前記アプリケーションプログラムの実行により、前記第１の照明器具に対する第２のコマンド信号を送信する第２のコマンド送信部と、前記第２のコマンド信号の送信後に前記アプリケーションプログラムを終了する終了制御部と、を有する請求項１又は２に記載の照明制御システム。
【請求項４】
前記第１の情報は、前記第２の照明器具のオン状態を示す情報である請求項１から３のいずれか１つに記載の照明制御システム。
【請求項５】
前記オン状態は、前記情報端末機器において検出された前記第２の照明器具の照明光の照度、前記情報端末機器と前記第２の照明器具との接続状態、もしくは前記情報端末機器における前記第２の照明器具からの所定の第１の信号の受信の有無に基づいて判定される請求項４に記載の照明制御システム。
【請求項６】
前記第２の情報は、前記第２の照明器具のオフ状態を示す情報である請求項３に記載の照明制御システム。
【請求項７】
前記オフ状態は、前記情報端末機器において検出された前記第２の照明器具の照明光の照度、前記情報端末機器と前記第２の照明器具との接続状態、もしくは前記情報端末機器における前記第２の照明器具からの所定の第２の信号の受信の有無に基づいて判定される請求項６に記載の照明制御システム。
【請求項８】
情報端末機器において、第１の照明器具に関する第１の情報を検出し、
前記第１の情報が検出されると、前記情報端末機器において、第２の照明器具を制御するアプリケーションプログラムを実行する、
照明制御方法。
【請求項９】
前記情報端末機器において、前記第１の照明器具に関する第２の情報を検出し、
前記第２の情報が検出されると、前記アプリケーションプログラムの実行により、前記第２の照明器具に対する第２のコマンド信号を前記情報端末機器から送信し、
前記第２のコマンド信号の送信後に前記アプリケーションプログラムを終了する、請求項７に記載の照明制御方法。
【請求項１０】
第１の照明器具を制御するためのプログラムであって、
第２の照明器具に関する第１の情報が検出されると、前記第１の照明器具を制御するアプリケーションプログラムを実行する機能
を、前記情報端末機器の中央処理装置に実行させるためのプログラム。
【請求項１１】
前記第２の照明器具に関する第２の情報が検出されると、前記アプリケーションプログラムの実行により、前記第１の照明器具に対する第２のコマンド信号を前記情報端末機器から送信する機能と、
前記第２のコマンド信号の送信後に前記アプリケーションプログラムを終了する機能と、
をさらに前記情報端末機器の前記中央処理装置に実行させる請求項１０に記載のプログラム。
【請求項１２】
少なくとも１つの第１の照明器具と、
少なくとも１つの第２の照明器具と、
前記第１の照明器具を制御するアプリケーションプログラムを実行可能であって、前記第２の照明器具に関する第１の情報を検出すると前記アプリケーションプログラムを実行する実行制御部を有する情報端末機器と、
を有する照明制御システム。
【請求項１３】
前記情報端末機器は、前記第２の照明器具に関する第２の情報を検出すると、その起動された前記アプリケーションプログラムの実行により、前記第１の照明器具に対する第２のコマンド信号を送信する第２のコマンド送信部と、前記第２のコマンド信号の送信後に前記アプリケーションプログラムを終了する終了制御部と、を有する請求項１２に記載の照明制御システム。
【発明の詳細な説明】
【技術分野】
【０００１】
本発明の実施形態は、照明制御システム、照明制御方法及びプログラムに関する。
【背景技術】
【０００２】
従来より、オフィス等では、照明を制御する照明制御システムが広く利用されている。例えば、照明器具は、オフィス内の分割されたエリア毎に設置され、対応するエリアを照明する。近年は、オフィスにおける節電のために、タスク・アンド・ライティング（TAL）システムも注目され、採用されている。
【０００３】
タスク・アンド・ライティングシステムは、所謂タスクライトにより作業者の机上面だけを局所的に照明し、所謂アンビエント照明によりオフィス全体を一定の明るさを維持する照明システムである。タスク・アンド・ライティングシステムによれば、アンビエント照明によってオフィス全体は控えめな照度で照明し、作業者が席を離れるときにタスクライトを消灯することにより、省エネルギーを図ることができる。
【０００４】
また、情報端末機器である携帯電話を用いて、照明器具を制御する技術が提案されている。ユーザは、携帯電話を用いて、照明器具を点灯し、その照明器具の点灯に関する設定を簡単に行うことができる。
【０００５】
しかし、近年のスマートフォンのような携帯電話を用いて照明の制御を行おうとすると、ユーザは照明器具を制御する度に、そのアプリケーションを立ち上げてスマートフォンの画面上で操作をしなければならない。具体的には、スマートフォンは多機能携帯電話であるため、多くのアプリケーションが搭載され、実行可能となっている。そのため、ユーザは、スマートフォンの画面上で多くのアプリケーションの中から照明制御用アプリケーションを選択して起動し、アプリケーション画面上に表示された操作ボタンを操作等しなければならず、繁雑な操作が必要となる。
【先行技術文献】
【特許文献】
【０００６】
【特許文献１】特開２０１１−２９０５３号公報
【発明の概要】
【発明が解決しようとする課題】
【０００７】
そこで、本実施形態は、情報端末機器に対する繁雑な操作が必要なく照明器具を制御することができる照明制御システム、照明制御方法及びそのためのプログラムを提供することを目的とする。
【課題を解決するための手段】
【０００８】
実施形態の照明制御システムは、少なくとも１つの第１の照明器具と、情報端末機器とを有する。情報端末機器は、前記第１の照明器具を制御するアプリケーションプログラムを実行可能であって、第２の照明器具に関する第１の情報を検出すると前記アプリケーションプログラムを実行する実行制御部を有する。
【発明の効果】
【０００９】
実施形態によれば、情報端末機器に対する繁雑な操作が必要なく照明器具を制御することができる照明制御システム、照明制御方法及びそのためのプログラムを提供することができる。
【図面の簡単な説明】
【００１０】
【図１】第１の実施形態に係わる照明制御システムを説明するための図である。
【図２】第１の実施形態に係わる、照明器具が配置されるオフィスの配置を説明するための模式的な平面図である。の構成を示す構成図である。
【図３】第１の実施形態に係わるスマートフォンの構成を説明するための斜視図である。
【図４】第１の実施形態に係わる、スマートフォン１１における照明制御用のアプリケーションの実行を制御する処理の流れの例を示すフローチャートである。
【図５】第２の実施形態に係わる、照明器具２Aとスマートフォン１１が接続ケーブルにより接続される状態を説明するための図である。
【図６】第２の実施形態に係わる、スマートフォン１１における照明制御用のアプリケーションの実行を制御する処理の流れの例を示すフローチャートである。
【図７】第３の実施形態に係わる、スマートフォン１１が載置可能な照明器具２Bを説明するための図である。
【図８】第３の実施形態に係わる、スマートフォン１１における照明制御用のアプリケーションの実行を制御する処理の流れの例を示すフローチャートである。
【発明を実施するための形態】
【００１１】
以下、図面を参照して実施形態を説明する。
【００１２】
（第１の実施形態）
（システム構成）
図１は、本実施形態に係わる照明制御システムを説明するための図である。図２は、照明器具が配置されるオフィスの配置を説明するための模式的な平面図である。  
図１及び図２に示すように、オフィスは、複数のエリアに分割されており、エリア毎に、アンビエント照明用の照明器具１とタスク照明用の照明器具２とが配置されている。アンビエント照明用の照明器具１は、天井面に取り付けられ、タスク照明用の照明器具２は、作業者（以下、ユーザという）の作業台である机３に設置されている。すなわち、図１と図２に示すオフィスの照明システムは、タスク・アンド・ライティングシステムである。
【００１３】
なお、ここでは、図２に示すように、オフィスが１２のエリアに均等に分割され、１つのエリアに対して、１つのアンビエント照明用の照明器具１が設置されているが、エリア分割の方法及びエリアに対する照明数は、図２に示すようなものに限られない。例えば、１つのエリアに複数の照明器具１が取り付けられ、あるいは複数のエリアに対して１つの照明器具１が取り付けられるような分割方法でもよい。
【００１４】
アンビエント照明用の複数の照明器具１は、通信ライン４を介して照明制御装置５と接続されている。複数の照明器具１は、それぞれ識別子（すなわちＩＤあるいはアドレス）を有しており、照明制御装置５は、その識別子を指定することによって、任意の照明器具１に対して各種コマンドを送信することができる。照明制御装置５の記憶装置５ａには、ユーザの識別子（すなわちIDであり、例えばスマートフォン１１の電話番号など）とエリアの対応情報と、エリアと照明器具１の対応情報が予め登録されている。よって、照明制御装置５は、図示しない照明制御用の操作パネルに対するオン、オフ、照度調整等の操作入力に応じて、複数の照明器具１のオン・オフ及び照度を制御することができる。
【００１５】
照明制御装置５は、インターネット６にも接続されている。  
また、オフィスには、オフィス内で、ユーザが自己のスマートフォンを、インターネット６に無線で接続するためのアクセスポイント７が設置されている。アクセスポイント７は、スマートフォンがインターネット６に接続あるいは携帯電話網に接続するための通信機器である。よって、ユーザは、オフィス内で、スマートフォンを自由にインターネットが利用できる環境にある。
【００１６】
さらに、オフィスには、無線通信規格の一つであるブルートゥース（登録商標）用の端末器８も設置されている。端末器８は、通信ライン４を介して照明制御装置５と接続されている。よって、端末器８は、ブルートゥース（登録商標）による通信信号を受信して、照明制御装置５に送信することができる。
【００１７】
なお、ここでは、端末器８がブルートゥース（登録商標）用の機器である例を挙げているが、端末器８は、例えば、近距離無線通信のNFC(Near Field Communication)に基づく通信方式など、他の通信方式に適応する機器であってもよい。
【００１８】
以上のような照明制御システムにおいて、後述するように、ユーザのスマートフォンによって、対応する照明器具１を制御することができる。従って、複数の照明器具１と、スマートフォンとによって、照明制御システムが構成される。
【００１９】
（スマートフォンの構成）
図３は、スマートフォンの構成を説明するための斜視図である。スマートフォン１１は、装置本体１２の表面に設けられた表示部１３を有し、表示部１３の周囲に、撮像用のカメラ１４と、照度センサ１５と、マイク１６を有する。また、スマートフォン１１は、各種機器との接続をするための端子部としてのUSBコネクタ１７を有している。  
なお、ここでは、情報端末機器として、多機能携帯電話であるスマートフォンを用いているが、タブレット形式のパーソナルコンピュータなどでもあってもよい。  
スマートフォン１１は、本体内に中央処理装置（以下、CPUという）１８と、書き替え可能な不揮発性メモリとしてのフラッシュメモリ１９と、図示しないROM、RAMを内蔵している。CPU１８は、フラッシュメモリ１９及びROMに記憶されたアプリケーションを作業用メモリとしてのRAMを用いて実行することができる。  
さらに、スマートフォン１１は、背面部に、赤外線通信用の送受信部２０を有しており、赤外線信号の送受信が可能となっている。
【００２０】
照度センサ１５は、入射した光を検出する検出器である。この照度センサ１５は、表示部のバックライトの明るさを周囲の明るさに応じて調整するために用いられているものである。スマートフォン１１は、その照度センサ１５の出力信号に基づいて、スマートフォン１１の周囲の明るさすなわちスマートフォン１１が受ける照明光の照度を検出することができるようになっている。
【００２１】
また、スマートフォン１１は、アクセスポイント７等を介してインターネット６への接続機能を有している。  
よって、上述したように、スマートフォン１１は、CPU１８により種々のアプリケーションを起動して実行することができるので、ユーザは、インターネット６を利用して、所望のアプリケーションをスマートフォン１１のフラッシュメモリ１９にダウンロードして、実行することができる。
【００２２】
ここでは、ユーザが、次に述べる照明制御用のアプリケーションを、スマートフォン１１に予めダウンロードしているものとして、照明制御システム１０における照明器具１の制御について説明する。
【００２３】
（照明制御）
ユーザは、照明制御用のアプリケーションをダウンロードし、次の４つの設定を予め行う。以下の設定は、スマートフォン１１が照明制御用のアプリケーションをダウンロードして、そのアプリケーションを起動して、その設定画面において設定される。
【００２４】
第１の設定は、アンビエント照明である照明器具１の減光あるいはオフをするか否かを判定するための閾値TH1の設定である。閾値TH1は、照度センサ１５により検出された照度との比較のために用いられる値である。
【００２５】
第２の設定は、減光あるいはオフ中の照明器具１をオンするか否かを判定するための閾値TH2の設定である。閾値TH2も、照度センサ１５により検出された照度との比較のために用いられる値であり、閾値TH1よりも低い値である。
【００２６】
第３の設定は、照明器具１を制御するためのコマンドの内容の設定である。この第３の設定により設定されるコマンドは、照明器具１を減光あるいはオフする場合と、照明器具１を元の状態に戻す、すなわち照明器具１をオンする場合で、コマンドの内容は異なる。
【００２７】
ここでは、照明制御装置５が、スマートフォン１１の情報（例えばスマートフォン１１の電話番号など）とエリアの対応情報を有しているので、コマンドは、スマートフォン１１の情報と、オン、オフあるいは減光の指示だけを含むコマンドでもよい。
【００２８】
しかし、例えば、照明制御装置５が、スマートフォン１１の情報（例えばスマートフォン１１の電話番号など）とエリアの対応情報を有していない場合は、コマンドは、対応する照明器具１の識別子（すなわちＩＤ）と、オン、オフあるいは減光の指示を含む。
【００２９】
さらに、スマートフォン１１あるいは照明器具１の機能によっても、コマンドの内容は異なる。例えば、スマートフォン１１が赤外線発光部を有すると共に、照明器具１が赤外線受光部を有して赤外線受光部により制御用のコマンドを受けてオン、オフ及び減光などが可能である場合には、コマンドの内容は、照明器具１が受信可能な赤外線コマンドの形式であって、照明器具１の識別子（すなわちＩＤ）と制御内容（減光指示とその減光量のコマンド、あるいはオフコマンド）とを含むコマンドとなる。
【００３０】
照明器具１が赤外線受光部を有さず、照明制御装置５がスマートフォン１１の情報（例えば、電話番号等）とエリアの対応情報を記憶している場合は、コマンドの内容は、インターネット６を介して、照明制御装置５へ、スマートフォン１１の情報と、オン、オフ及び減光の指示を行うためのコマンドとなる。    
なお、照明制御装置５が、減光の指示に対応する減光量の情報を有していなければ、コマンドは、減光量の情報も含む。
【００３１】
第４の設定は、コマンドの送信方法の設定である。スマートフォン１１は、その有する機能によって、赤外線通信機能を有するものあるいは有しないものもあれば、ブルートゥース（登録商標）による通信機能を有するものと有しないもある。よって、第４の設定では、送信すべきコマンドを、赤外線発光部から送信するのか、ブルートゥース（登録商標）の機能を利用して端末器８へ送信するのか、あるいはインターネット６のためのアクセスポイント７へ送信するのか、が、設定される。  
以上のように、４つの設定が予め行われ、その設定内容は、スマートフォン１１のフラッシュメモリ１９に記憶される。
【００３２】
そして、アプリケーションは、照度センサ１５により検出された照度と、所定の閾値TH1,TH2との比較結果に応じて、処理の内容が変更されるように記述されている。後述するように、検出照度が所定の閾値TH1以上であると、照明器具１を減光あるいはオフする処理を実行し、検出照度が所定の閾値TH2以下であると、照明器具１を元の照明状態に戻す処理を実行するように、アプリケーションは記述されている。
【００３３】
ユーザのオフィスにおける行動は、通常、次の通りである。  
ユーザは、所定の自己の机３で作業をする場合、スマートフォン１１を机３上に置く。その場合、照度センサ１５が照明器具２の照明光を受光できるように、表示部１３がオフィスの天井を向くように、スマートフォン１１は、机３上に置かれる。その結果、スマートフォン１１は、照度センサ１５によって机３における照度を検出できる状態となる。
【００３４】
また、ユーザは、自己の机３で作業をする場合、その机３に取り付けられているタスク照明用の照明器具２をオンにし、机３から離れるときには、その照明器具２をオフにする。さらに、ユーザは、机３から離れる場合は、スマートフォン１１を携帯して机３から離れる。
【００３５】
このような行動をユーザが取るとして、スマートフォン１１に記憶された照明制御用アプリケーションは、次のようにして起動されて、照明器具１の制御を行う。  
図４は、スマートフォン１１における照明制御用のアプリケーションの実行を制御する処理の流れの例を示すフローチャートである。
【００３６】
スマートフォン１１の電源がオンの状態にあるとき、CPU１８は、照度センサ５の出力信号に基づき、照度を検出する（ステップ（以下、Sと略す）1）。  
次に、CPU１８は、検出された照度が所定の閾値TH1以上であるか否かを判定する（S2）。上記の第１の設定により予め設定される閾値TH1は、ユーザがタスク照明用の照明器具２がオンされたときに、スマートフォン１１の照度センサ１５によって、照明器具２がオンしていることを判定できる値である。  
オフィスでは、アンビエント照明用の照明器具１は、オフィス全体を、控えめなすなわちやや暗い照度で照明するように、照明制御装置５によって制御されている。よって、所定の閾値TH1は、アンビエント照明のために照明器具１が点灯しているときに、スマートフォン１１の照度センサ１５により検出されるアンビエント照明の照度値よりは、大きく、さらに、机３においてタスク照明用の照明器具２が点灯していることを検出できる値に設定されている。
【００３７】
検出照度が閾値TH1未満であるときは（S2:NO）、CPU１８の処理は、S1に戻る。このS1とS2の処理は、CPU１８において、いわゆるバックグラウンド処理により、周期的に行われる。
【００３８】
検出照度が閾値TH1以上であるときは（S2:YES）、CPU１８は、照明制御用のアプリケーションを起動する（S3）。この照明制御用のアプリケーションは、予めダウンロードされてフラッシュメモリ１９に記憶されている。S3の処理が、照明器具２に関する照度の情報すなわち照明器具２のオン状態を示す情報を検出するとアプリケーションプログラムを起動もしくは実行する起動制御部もしくは実行制御部を構成する。照明器具２がオン状態であるか否かは、照度センサ１５の検出照度に基づいて判定され、照明器具２がオンであるときの判定結果の情報が、オン状態を示す情報となる。
【００３９】
照明制御用のアプリケーションが起動されて実行されるが、そのアプリケーションは、アンビエント照明用の照明装置１を減光あるいはオフするための所定のコマンド信号CM1を照明制御装置５に送信する処理を実行する（S4）。すなわち、アプリケーションには、検出照度が閾値TH1以上であるときは、アンビエント照明用の照明装置１を減光あるいはオフするための所定のコマンド信号CM1を照明制御装置５に送信する処理を実行するプログラムが記述されている。S4の処理は、アプリケーションによる処理である。よって、S4の処理は、起動されたアプリケーションプログラムの実行により、対応する照明器具１に対するコマンド信号CM1を送信するコマンド送信部を構成する。
【００４０】
このときに送信されるコマンド信号CM1は、上記の第３の設定により予め設定された内容であり、そのコマンド信号CM1の送信は、上記の第４の設定により設定された方法あるいは手段により行われる。  
なお、S3及びS4の処理時に、スマートフォン１１の表示部１３に、確認用の画面あるいは照明装置１へのコマンド信号CM1の送信指示用の画面を表示するようにしてもよい。その場合、そのような表示された画面に対するユーザの指示を受けて、S3,S4の処理が実行される。
【００４１】
コマンド信号CM1を受信したときは、照明制御装置５は、対応する照明器具１を、減光あるいはオフするように制御する。すなわち、スマートフォン１１は、照明器具１を制御するアプリケーションプログラムを実行可能であって、照明器具２に関する情報（ここでは、照度から照明器具２がオンしているという情報）を検出するとアプリケーションプログラムを起動もしくは実行する起動もしくは実行制御部と、その起動されたアプリケーションプログラムの実行により、照明器具１に対するコマンド信号CM1を送信するコマンド送信部と、を有する情報端末機器を構成する。
【００４２】
以上のように、ユーザが自己のエリアで作業を開始したときに、スマートフォン１１の照明制御用のアプリケーションによりアンビエント照明用の照明器具１が減光あるいはオフされる。よって、ユーザは、アプリケーションを立ち上げることなく、ただ机３上にスマートフォン１１を置くだけで、アンビエント照明用の照明器具１を減光あるいはオフにすることができる。  
なお、以上の例では、照度の検出及び判定の処理は、アプリケーションプログラムとは別のプログラムにより行われているが、アプリケーションプログラムにより実行されるようにしてもよい。
【００４３】
例えば、ユーザは、アプリケーションプログラムを起動させておき、CPU１８は、所謂バックグラウンド処理により、アプリケーションプログラムを実行して、照度の検出及び判定の処理を行う。そして、検出照度が閾値TH1以上になったか否かの判定が所謂バックグラウンドで実行され、検出照度が閾値TH1以上になったと判定されると、アプリケーションプログラムにおけるS3,S4の処理部分が実行される。
【００４４】
すなわち、S1からS4までの処理がアプリケーションプログラムにより実行されるようにしてもよい。  
その後、CPU１８は、アプリケーションを起動して実行した後は、照度センサ５の出力信号に基づき、照度の検出を行う（S5）。
【００４５】
ユーザが自己の机３を離れる場合は、ユーザは、タスク照明用の照明器具２をオフするか、あるいはスマートフォン１１を携帯して、机３から離れる。  
その結果、照度センサ１５が照明器具２からの照明光を受光しなくなるため、あるいは携帯時にスマートフォン１１がユーザのポケットなど入れられるため、照度センサ１５の検出照度値は低下する。
【００４６】
CPU１８は、周期的に照度センサ１５の出力信号から照度を検出して、検出照度が所定の閾値TH2以下であるか否かを判定する（S6）。上記の第２の設定により予め設定される閾値TH2は、減光あるいはオフされた照明器具１をオンするために、スマートフォン１１の照度センサ１５によって、照明器具２がオフされたあるいはスマートフォン１１がユーザによって携帯されたことを判定できる値に予め設定されている。  
よって、検出照度が閾値TH2を超えるときは（S6:NO）、CPU１８の処理は、S5に戻る。このS5とS6の処理も、CPU１８において、いわゆるバックグラウンド処理により、周期的に行われる。
【００４７】
検出照度が所定の閾値TH2以下である場合（S6:YES）、アプリケーションは、検出照度が所定の閾値TH2以下であるので、アンビエント照明用の照明装置１をオンするための所定のコマンド信号CM2を照明制御装置５に送信する処理を実行する（S7）。すなわち、アプリケーションには、検出照度が閾値TH21以下であるときは、アンビエント照明用の照明装置１をオンするための所定のコマンド信号CM2を照明制御装置５に送信する処理を実行するプログラムが記述されている。S7の処理は、アプリケーションによる処理である。よって、S7の処理が、照明器具２に関する照度の情報すなわち照明器具２のオフ状態を示す情報を検出すると、起動されたアプリケーションプログラムの実行により、対応する照明器具１に対するコマンド信号CM2を送信するコマンド送信部を構成する。
【００４８】
このときに送信するコマンド信号も、上記の第３の設定により予め設定された内容であり、そのコマンド信号の送信は、上記の第４の設定により設定された方法あるいは手段により行われる。
【００４９】
コマンド信号CM2を受信したときは、照明制御装置５は、元の照明状態、すなわちアンビエント照明のための照度値になるように、対応する照明器具１を制御する。  
なお、照明制御装置５は、コマンド信号CM1を受信すると、照明器具１をアンビエント照明状態にする制御を一時中断し、コマンド信号CM2を受信すると、その一時中断を解除することによって、上記のS4とS7に対応する照明制御を行うようにしてもよい。
【００５０】
さらになお、S4とS7の処理は、ユーザがマニュアルで指示するようにしてもよい。例えば、アプリケーションが起動されたときは、照明器具１をオフするボタン表示が表示部１３に表示されて、ユーザがそのボタンを操作すると、コマンド信号CM1が送信されるようにしてもよい。また、一旦照明器具１を減光あるいはオフした後、検出照度が閾値TH2以下になったときにも、照明器具１をオンする（すなわち元の状態に戻す）ボタン表示が表示部１３に表示されて、ユーザがそのボタンを操作すると、コマンド信号CM2が送信されるようにしてもよい。
【００５１】
S7の後、CPU１８は、アプリケーションを終了し（S8）、処理は、S1に戻る。S8の処理が、コマンド信号CM2の送信後にアプリケーションプログラムを終了する終了制御部を構成する。
【００５２】
従って、スマートフォン１１は、照明器具２に関する第２の情報（ここでは、照度から照明器具２がオフしているという情報）を検出すると、その起動されたアプリケーションプログラムの実行により、対応する照明器具１に対するコマンド信号CM2を送信するコマンド送信部と、コマンド信号CM2の送信後にアプリケーションプログラムを終了する終了制御部と、を有する情報端末機器を構成する。
【００５３】
従って、ユーザが机３にスマートフォン１１を置いて、タスク照明用の照明器具２を点灯すると、ユーザがスマートフォン１１に対しての繁雑な操作をすることなく、対応するエリアのアンビエント照明用の照明器具１は、自動的に減光あるいはオフされる。
【００５４】
さらに、そのような状態で、ユーザが照明器具２をオフあるいはスマートフォン１１を携帯して机３を離れると、ユーザがスマートフォン１１に対しての繁雑な操作をすることなく、対応するエリアのアンビエント照明用の照明器具１は、自動的に元のアンビエント照明の状態に戻る。
【００５５】
以上のように、本実施形態によれば、情報端末機器に対する繁雑な操作が必要なく照明器具を制御することができる照明制御システムを実現することができる。
【００５６】
（第２の実施形態）
上述した実施形態では、照明制御用のアプリケーションは、スマートフォン１１に設けられた照度センサ１５の照度に基づいて、起動及び終了されているが、本実施形態では、スマートフォン１１とタスク照明用の照明器具２Aとの接続状態に基づいて、照明制御用アプリケーションの実行もしくは起動が、制御される。
【００５７】
本実施形態の照明制御システムの構成は、第１の実施形態の照明制御システムの構成と略同様であるので、第１の実施形態の照明制御システムの構成要素と異なる構成について説明し、同じ構成要素については、同じ符号を用いて説明は省略する。
【００５８】
図５は、本実施形態に係る照明器具２Aとスマートフォン１１が接続ケーブルにより接続される状態を説明するための図である。図５に示すように、机３に設置されているタスク照明用の照明器具２Aの台座２１には、オン・オフ用のスイッチ２２が設けられている。ユーザは、スイッチ２２を押すことによって、照明器具２Aを、オフからオンへあるいはオフからオンへ切り換えられるようになっている。
【００５９】
さらに、照明器具２Aには、内部に処理回路を有し、照明器具２Aからは、ケーブル２３が延出している。ケーブル２３の先端部には、接続用のコネクタ、ここでは、USBコネクタ２４が設けられている。USBコネクタ２４は、雄型であり、点線で示すように、スマートフォン１１の雌型のUSBコネクタ１７に接続可能である。照明器具２Aは、USBコネクタ２４を介して所定の信号を内部の処理回路から出力可能となっている。
【００６０】
ユーザが照明器具２Aのスイッチ２２を押して、照明器具２Aをオンした状態で、USBコネクタ２４をスマートフォン１１のUSBコネクタ１７に接続すると、スマートフォン１１のCPU１８は、照明制御用のアプリケーションを起動する。  
また、ユーザがスマートフォン１１のUSBコネクタ１７からUSBコネクタ２４を抜くと、スマートフォン１１のCPU１８は、照明制御用のアプリケーションを終了する。
【００６１】
図６は、本実施形態におけるスマートフォン１１における照明制御用のアプリケーションの実行を制御する処理の流れの例を示すフローチャートである。図６において、図４と同じ処理については、同じステップ番号を付して説明は省略する。
【００６２】
スマートフォン１１の電源がオンの状態にあるとき、CPU１８は、スマートフォン１１と照明器具２Aとの接続状態を確認する（S11）。この確認は、USBコネクタ１７にUSBコネクタ２４が接続されているかを判定することによって行われる。この接続状態の確認は、例えば、USBコネクタ１７を介する照明器具２Aの処理回路との通信により、CPU１８が照明器具２Aの処理回路と通信が可能か否かによって行われる。
【００６３】
CPU１８は、S11における接続状態の確認に基づいて、スマートフォン１１が照明器具２Aに接続されているか否かを判定する（S12）。スマートフォン１１が照明器具２Aに接続されていると（S12:YES）、CPU１８は、照明制御用のアプリケーションを起動する（S3）。S3の処理が、照明器具２のオン状態を示す情報として、スマートフォン１１と照明器具２との接続状態を検出するとアプリケーションプログラムを起動する起動制御部を構成する。  
スマートフォン１１が照明器具２Aに接続されていないと（S12:NO）、CPU１８の処理は、S11に戻る。  
なお、以上の例では、スマートフォン１１と照明器具２Aとの接続状態の判定の処理は、アプリケーションプログラムとは別のプログラムにより行われているが、アプリケーションプログラムにより実行されるようにしてもよい。
【００６４】
例えば、ユーザは、アプリケーションプログラムを起動させておき、CPU１８は、所謂バックグラウンド処理により、アプリケーションプログラムを実行して、接続状態の判定の処理を行う。そして、スマートフォン１１と照明器具２Aとの接続判定が所謂バックグラウンドで実行され、接続が確認されると、アプリケーションプログラムにおけるS3,S4の処理部分が実行される。
【００６５】
すなわち、S11からS4までの処理がアプリケーションプログラムにより実行されるようにしてもよい。  
所定のコマンド信号CM1を送信した後は、CPU１８は、スマートフォン１１と照明器具２Aとの接続状態を確認する（S13）。この確認も、S11と同様に、USBコネクタ１７にUSBコネクタ２４が接続されているかを判定することによって行われる。CPU１８は、S13における接続状態の確認に基づいて、スマートフォン１１が照明器具２Aから取り外されたか否かを判定する（S14）。
【００６６】
スマートフォン１１が照明器具２Aから取り外されていないと（S14:NO）、処理は、S13の処理へ戻る。スマートフォン１１が照明器具２Aから取り外されていると（S14:YES）、処理は、S7の処理へ移行する。S7の処理が、スマートフォン１１と照明器具２との接続状態の情報すなわち照明器具２のオフ状態を示す情報を検出すると、起動されたアプリケーションプログラムの実行により、対応する照明器具１に対するコマンド信号CM2を送信するコマンド送信部を構成する。
【００６７】
上述したS11,S12,S13,S14の処理も、CPU１８において、いわゆるバックグラウンド処理により、周期的に行われる。  
他の処理は、第１の実施形態と同様である。
【００６８】
従って、ユーザがスマートフォン１１を照明器具２のケーブル２３に接続するだけで、ユーザがスマートフォン１１に対しての繁雑な操作をすることなく、対応するエリアのアンビエント照明用の照明器具１は、自動的に減光あるいはオフされる。
【００６９】
さらに、そのような状態で、ユーザがスマートフォン１１から照明器具２のケーブル２３を取り外すと、ユーザがスマートフォン１１に対しての繁雑な操作をすることなく、対応するエリアのアンビエント照明用の照明器具１は、自動的に元のアンビエント照明の状態に戻る。
【００７０】
以上のように、本実施形態によれば、情報端末機器に対する繁雑な操作が必要なく照明器具を制御することができる照明制御システムを実現することができる。
【００７１】
なお、上記の例では、スマートフォン１１と照明器具２Aが所定の通信を行って、スマートフォン１１が所定の信号を受信したか否かにより、スマートフォン１１と照明器具２Aの接続を判定しているが、通信を行わなくても、単に接続されているか否かを、例えば端子間の導通状態を検出することによって、その接続を検出するようにしてもよい。
【００７２】
さらになお、上記の例では、スマートフォン１１と照明器具２Aとの接続は、接続用のケーブル２３が接続されたか否かにより判定されているが、無線通信による照明器具２Aとの通信が確立できたか否かにより、判定するようにしてもよい。
【００７３】
（第３の実施形態）
第２の実施形態では、スマートフォン１１とタスク照明用の照明器具２Aとの接続状態に基づいて、照明制御用アプリケーションは、起動及び終了されているが、本実施形態では、照明制御用アプリケーションは、スマートフォン１１への所定の信号の受信に基づいて、実行もしくは起動、及び終了される。
【００７４】
本実施形態の照明制御システムの構成は、第１及び第２の実施形態の照明制御システムの構成と略同様であるので、第１及び第２の実施形態の照明制御システムの構成要素と異なる構成について説明し、同じ構成要素については、同じ符号を用いて説明は省略する。
【００７５】
図７は、本実施形態に係る、スマートフォン１１が載置可能な照明器具２Bを説明するための図である。  
図７に示すように、机３に設置されているタスク照明用の照明器具２Bの台座２１には、オン・オフ用のスイッチ２２が設けられている。ユーザは、スイッチ２２を押すことによって、照明器具２Bを、オフからオンへあるいはオフからオンへ切り換えられるようになっている。
【００７６】
また、照明器具２Bには、接続ケーブル２３Aを介して載置台２５が接続されている。載置台２５は、赤外線通信用の送受信部２６を上面部に有している。スマートフォン１１は、載置台２５に載置可能になっており、スマートフォン１１を載置台２５上に置いたときに、スマートフォン１１の赤外線通信の送受信部２０は、載置台２５の送受信部２６からの赤外線信号を受信可能となっている。
【００７７】
さらに、照明器具２Bには、内部に処理回路を有し、処理回路は、スイッチ２２が押されてオンされたときに、赤外線の所定の信号を、例えばオン信号を、載置台２５の送受信部２６から出射するように動作する。また、スイッチ２２が押されてオフされたときに、赤外線の所定の信号を、例えばオフ信号を、載置台２５の送受信部２６から出射するように動作する。
【００７８】
ユーザがスマートフォン１１を載置台２５上に置いた状態で照明器具２Bのスイッチ２２を押して、照明器具２Bをオンにすると、スマートフォン１１の赤外線の送受信部２０は、載置台２５の赤外線の送受信部２６からの所定の信号（オン信号）を受信し、スマートフォン１１のCPU１８は、照明制御用のアプリケーションを起動する。
【００７９】
また、ユーザがスマートフォン１１を載置台２５上に置いた状態で照明器具２Bのスイッチ２２を押して、照明器具２Bをオフにすると、スマートフォン１１の赤外線の送受信部２０は、載置台２５の赤外線の送受信部２６からの所定の信号（オフ信号）を受信し、スマートフォン１１のCPU１８は、照明制御用のアプリケーションを終了する。
【００８０】
図８は、本実施形態におけるスマートフォン１１における照明制御用のアプリケーションの実行を制御する処理の流れの例を示すフローチャートである。図８において、図４と同じ処理については、同じステップ番号を付して説明は省略する。
【００８１】
スマートフォン１１の電源がオンの状態にあるとき、CPU１８は、送受信部２０がオン信号を受信したかを判定する（S21）。  
送受信部２０がオン信号を受信すると（S21:YES）、CPU１８は、照明制御用のアプリケーションを起動する（S3）。S3の処理が、照明器具２のオン状態を示す情報として、照明器具２からの所定の信号（オン信号）の情報を検出するとアプリケーションプログラムを起動する起動制御部を構成する。  
送受信部２０がオン信号を受信しないと（S21:NO）、CPU１８の処理は、何もしない。  
なお、以上の例では、所定の信号の受信判定の処理は、アプリケーションプログラムとは別のプログラムにより行われているが、アプリケーションプログラムにより実行されるようにしてもよい。
【００８２】
例えば、ユーザは、アプリケーションプログラムを起動させておき、CPU１８は、所謂バックグラウンド処理により、アプリケーションプログラムを実行して、所定の信号の受信判定の処理を行う。そして、スマートフォン１１と照明器具２Aとの接続判定が所謂バックグラウンドで実行され、所定の信号の受信が確認されると、アプリケーションプログラムにおけるS3,S4の処理部分が実行される。
【００８３】
すなわち、S21からS4までの処理がアプリケーションプログラムにより実行されるようにしてもよい。  
所定のコマンド信号CM1を送信した後は、CPU１８は、送受信部２０がオフ信号を受信したかを判定する（S22）。
【００８４】
送受信部２０がオフ信号を受信しないと（S22:NO）、処理は、何もしない。送受信部２０がオフ信号を受信すると（S22:YES）、処理は、S7の処理へ移行する。S7の処理が、照明器具２からの所定の信号（オフ信号）の情報すなわち照明器具２のオフ状態を示す情報を検出すると、起動されたアプリケーションプログラムの実行により、対応する照明器具１に対するコマンド信号CM2を送信するコマンド送信部を構成する。
【００８５】
上述したS21,S22の処理は、CPU１８において、いわゆるバックグラウンド処理により、周期的に行われる。  
他の処理は、第１の実施形態と同様である。
【００８６】
従って、ユーザがスマートフォン１１を照明器具２Bの載置台２５上において、照明器具２Bのオン操作をするだけで、ユーザがスマートフォン１１に対しての繁雑な操作をすることなく、対応するエリアのアンビエント照明用の照明器具１は、自動的に減光あるいはオフされる。
【００８７】
さらに、そのような状態で、ユーザが照明器具２Bのオフ操作をすると、ユーザがスマートフォン１１に対しての繁雑な操作をすることなく、対応するエリアのアンビエント照明用の照明器具１は、自動的に元のアンビエント照明の状態に戻る。
【００８８】
以上のように、本実施形態によれば、情報端末機器に対する繁雑な操作が必要なく照明器具を制御することができる照明制御システムを実現することができる。  
なお、上記の例では、スマートフォン１１と照明器具２A間の通信は、赤外線通信であるが、赤外線以外の方式による通信でもよい。
【００８９】
以上のように、上述した３つの実施形態の照明制御システムによれば、情報端末機器に対する繁雑な操作が必要なく照明器具を制御することができる照明制御システム及び照明制御方法を実現することができる。
【００９０】
なお、以上説明した動作を実行するプログラムは、コンピュータプログラム製品として、フレキシブルディスク、ＣＤ−ＲＯＭ等の可搬媒体や、ハードディスク等の記憶媒体に、その全体あるいは一部が記録され、あるいは記憶されている。そのプログラムがコンピュータにより読み取られて、動作の全部あるいは一部が実行される。あるいは、そのプログラムの全体あるいは一部を通信ネットワークを介して流通または提供することができる。利用者は、通信ネットワークを介してそのプログラムをダウンロードしてコンピュータにインストールし、あるいは記録媒体からコンピュータにインストールすることで、容易に本実施形態の照明制御システム及び照明制御方法を実現することができる。
【００９１】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００９２】
１  アンビエント照明用の照明器具、２、２A、２B  タスク照明用の照明器具、３  机、４  通信ライン、５  照明制御装置５、５ａ  記憶装置、６  インターネット、７  アクセスポイント、８  ブルートゥース用端末器、１１  スマートフォン、１２  装置本体１２、１３  表示部、１４  カメラ、１５  照度センサ、１６  マイク、１７  USBコネクタ、１８  CPU、１９  フラッシュメモリ、２０  赤外線通信用の送受信部、２１  台座、２２  オン・オフ用のスイッチ、２３、２３A  ケーブル、２４  USBコネクタ、２５  載置台、２６  赤外線通信用の送受信部。
【図１】
2013191380.tif 000003
【図２】
2013191380.tif 000004
【図３】
2013191380.tif 000005
【図４】
2013191380.tif 000006
【図５】
2013191380.tif 000007
【図６】
2013191380.tif 000008
【図７】
2013191380.tif 000009
【図８】
2013191380.tif 000010